(57)【要約】【課題】食品載置用トレイを用いる食品提供店舗内において、一定または一定範囲の年齢層、あるいは社会環境、嗜好、趣味間等に共通性のある一定範囲の人々のグループを対象として、効率よく宣伝・広告を行う。【解決手段】トレイ本体２と、このトレイ本体の表面に一体的に貼着した広告表示シート３とからなる広告トレイ１を、店舗内の客に対する食品提供時の広告媒体として使用する広告方法であって、通信ネットワーク１３を介して広告依頼者と店舗とがトレイ管理部門を介して広告トレイの提供契約を行い、トレイ管理部門からの指示を受けた広告トレイ製造所２０が広告トレイ１を製造し、製造された広告トレイ１を配送センター２１が店舗（食堂）に搬送し、配送センター２１から広告トレイ１の搬送を受けた店舗が広告トレイ１を使用して、一定期間、食品の提供を行う。【選択図】  図１
2005055737.tif 000002
【特許請求の範囲】
【請求項１】
食品載置用トレイを、トレイ本体と、このトレイ本体の表面に一体的に貼着した広告表示シートとからなる広告トレイとして構成し、この広告トレイを店舗内の客に対する食品提供時の広告媒体として使用する広告システムであって、前記広告トレイは、広告依頼者から依頼を受けたトレイ管理部門により製造されるとともに、前記広告トレイの使用を希望する店舗に配送され、前記店舗にて一定期間使用された後、前記トレイ管理部門により回収されることを特徴とする食品載置用トレイを用いた広告システム。
【請求項２】
前記トレイ管理部門は、通信ネットワーク上に、前記広告依頼者と前記広告トレイの納入を希望する店舗とがアクセスできる仲介用サイトを保有するとともに、アクセスした前記広告依頼者および前記店舗の情報を保存する依頼者データベースおよび店舗データベース、ならびに前記依頼者および前記店舗の中から相互に適合するものを仲介する仲介手段を備え、この仲介手段を介する契約に基づいて、前記店舗に前記広告トレイを提供する請求項１記載の食品載置用トレイを用いた広告システム。
【請求項３】
トレイ本体と、このトレイ本体の表面に一体的に貼着した広告表示シートとからなる広告トレイを、店舗内の客に対する食品提供時の広告媒体として使用する広告方法であって、通信ネットワークを介して広告依頼者と店舗とがトレイ管理部門を介して広告トレイの提供契約を行うトレイ広告契約ステップと、前記トレイ管理部門からの指示を受けた広告トレイ製造所が前記広告トレイを製造するトレイ製造ステップと、製造された前記広告トレイを配送センターが前記店舗に搬送するトレイ搬送ステップと、前記配送センターから前記広告トレイの搬送を受けた前記店舗が前記広告トレイを使用して食品の提供を行うトレイ広告ステップとを備えることを特徴とする食品載置用トレイを用いた広告方法。
【請求項４】
前記店舗による前記広告トレイの使用を一定期間と定め、前記配送センターは、前記広告トレイを前記店舗に搬送した後、前記期間が満了した時点で前記広告トレイを回収する請求項３記載の食品載置用トレイを用いた広告方法。
【請求項５】
前記店舗による前記広告トレイの使用を複数回に区分した期間と定め、前記配送センターは、前記広告トレイを前記各期間の初めに前記店舗に搬送し、前記各期間の満了時点毎に前記広告トレイを回収する請求項３記載の食品載置用トレイを用いた広告方法。
【請求項６】
前記広告トレイの使用を複数の前記店舗により順次行うこととし、前記配送センターは、前記広告トレイの配送および回収を前記各店舗に対して順次に行う請求項３記載の食品載置用トレイを用いた広告方法。
【請求項７】
請求項３から６までのいずれかに記載の食品載置用トレイを用いた広告方法において、前記トレイ配送センターは、前記広告トレイを前記店舗に配送することに代えて前記店舗に広告表示シートを配送し、前記広告表示シートは、前記店舗において食品載置用トレイのトレイ本体に貼着されることとする広告方法。
【請求項８】
一定の面積を有する平坦部とこの平坦部の周囲から起立する背の低い周枠部とからなるトレイ本体と、このトレイ本体における前記平坦部の上下面および前記周枠部の内外面の少なくともいずれか一の面に一体的に貼着された広告表示シートとを備えたことを特徴とする広告媒体。
【発明の詳細な説明】
【技術分野】
【０００１】
本発明は、例えばファーストフードレストラン、ファミリーレストラン、社員食堂、学生食堂、コーヒーショップ等の各種店舗に備えられ、店舗内にて食品の載置および移動を行う際に使用される食品載置用トレイを用いた広告システム、広告方法および広告媒体に関する。
【背景技術】
【０００２】
この種の店舗においては、例えば到来する客や係員が携えて食品の載置および移動を行う食品載置用トレイを多数備えている。この食品載置用トレイの表面は、食品を載置する際に載置位置を確認するため各人の注視対象となり、また飲食等の際にはテーブル上に載置されて食品の持上げ等の都度に各人の注視対象となることから常時、利用者の視野に入っている。したがって、客等の利用者は意識的に、または無意識のうちに、トレイ表面の絵柄や文字等を認識し易い状況にある。
【０００３】
一方、上記各店舗の客層は概括的なグループに分類することができる。例えばハンバーガー等を提供するファーストフードレストランの客層は若者、子供、家族等であり、ファミリーレストランの客層は主として家族、友人等である。また、社員食堂の利用者は社会人であり、学生食堂の利用者は略同年齢層の学生である。コーヒーショップ等の客層はコーヒー等の飲料を好む客層である。さらに、店舗内で食品載置用トレイに好みのパンや菓子等を載置し、移動して購買する方式のセルフサービス式パンショップ等の客層としては、比較的女性が多い。
【０００４】
このように、上記各店舗においては、それぞれ客層がある程度特定される。そして、これらの客層毎に、嗜好や趣味感等に多くの共通な要素が含まれると想定される。したがって、商品やサービスを提供する企業にとっては、上記各店舗の種類に対応して商品やサービスの宣伝・広告対象者となる一群の需要者層を比較的特定し易い情況と考えられる。
【０００５】
従来、店舗に到来する客に対して種々の宣伝広告が展開されており、新たな広告システムも開発されている。例えば、食堂利用者にアンケート用紙等を渡して情報を得る際に、
宣伝・広告を行う提案がされている（特許文献１参照）。
【０００６】
しかし、同年代あるいは社会環境を共通とするような、一定範囲の人々に的を絞った効率のよい商品、サービス等の提供のための宣伝・広告活動は、必ずしも有効に行われておらず、一定または一定範囲の年齢層の客を対象として効率よく広告を行うような広告媒体や場も知られていない。
【特許文献１】特開２００２−１２３５８６号公報
【発明の開示】
【発明が解決しようとする課題】
【０００７】
従来では、店舗内において一定または一定範囲の年齢層、あるいは社会環境、嗜好、趣味間等に共通性のある一定範囲の人々のグループを対象として、効率よく広告を行うシステム、方法および広告媒体が知られてない。
【０００８】
本発明は、このような事情に鑑みてなされたもので、食品載置用トレイを用いる食品提供店舗内において、一定または一定範囲の年齢層、あるいは社会環境、嗜好、趣味間等に共通性のある一定範囲の人々のグループを対象として、効率よく宣伝・広告を行うことができ、併せて店舗におけるトレイに係るコストの低減、およびトレイの効率よい運用により資源の有効利用ひいては環境保護の面でも優れた機能を発揮することができる食品載置用トレイを用いた広告システム、方法および広告媒体を提供することを目的とする。
【課題を解決するための手段】
【０００９】
本発明は、上記の目的を達成するために、食品載置用トレイを、トレイ本体と、このトレイ本体の表面に一体的に貼着した広告表示シートとからなる広告トレイとして構成し、この広告トレイを店舗内の客に対する食品提供時の広告媒体として使用する広告システムであって、前記広告トレイは、広告依頼者から依頼を受けたトレイ管理部門により製造されるとともに、前記広告トレイの使用を希望する店舗に配送され、前記店舗にて一定期間使用された後、前記トレイ管理部門により回収されることを特徴とする食品載置用トレイを用いた広告システムを提供する。
【００１０】
本発明において、前記トレイ管理部門は、通信ネットワーク上に、前記広告依頼者と前記広告トレイの納入を希望する店舗とがアクセスできる仲介用サイトを保有するとともに、アクセスした前記広告依頼者および前記店舗の情報を保存する依頼者データベースおよび店舗データベース、ならびに前記依頼者および前記店舗の中から相互に適合するものを仲介する仲介手段を備え、この仲介手段を介する契約に基づいて、前記店舗に前記広告トレイを提供する。
【００１１】
また、本発明は、トレイ本体と、このトレイ本体の表面に一体的に貼着した広告表示シートとからなる広告トレイを、店舗内の客に対する食品提供時の広告媒体として使用する広告方法であって、通信ネットワークを介して広告依頼者と店舗とがトレイ管理部門を介して広告トレイの提供契約を行うトレイ広告契約ステップと、前記トレイ管理部門からの指示を受けた広告トレイ製造所が前記広告トレイを製造するトレイ製造ステップと、製造された前記広告トレイを配送センターが前記店舗に搬送するトレイ搬送ステップと、前記配送センターから前記広告トレイの搬送を受けた前記店舗が前記広告トレイを使用して食品の提供を行うトレイ広告ステップとを備えることを特徴とする食品載置用トレイを用いた広告方法を提供する。
【００１２】
この方法の一態様として、前記店舗による前記広告トレイの使用を一定期間と定め、前記配送センターは、前記広告トレイを前記店舗に搬送した後、前記期間が満了した時点で前記広告トレイを回収することが挙げられる。
【００１３】
また、他の態様として、前記店舗による前記広告トレイの使用を複数回に区分した期間と定め、前記配送センターは、前記広告トレイを前記各期間の初めに前記店舗に搬送し、前記各期間の満了時点毎に前記広告トレイを回収することが挙げられる。
【００１４】
また、他の態様として、前記広告トレイの使用を複数の前記店舗により順次行うこととし、前記配送センターは、前記広告トレイの配送および回収を前記各店舗に対して順次に行うことが挙げられる。
【００１５】
また、他の態様として、前記トレイ配送センターは、前記広告トレイを前記店舗に配送することに代えて前記店舗に広告表示シートを配送し、前記広告表示シートは、前記店舗において食品載置用トレイのトレイ本体に貼着されることが挙げられる。
【００１６】
さらに本発明は、一定の面積を有する平坦部とこの平坦部の周囲から起立する背の低い周枠部とからなるトレイ本体と、このトレイ本体における前記平坦部の上下面および前記周枠部の内外面の少なくともいずれか一の面に一体的に貼着された広告表示シートとを備えたことを特徴とする広告媒体を提供する。
【発明の効果】
【００１７】
本発明の食品載置用トレイを用いた広告システム、広告方法および広告媒体によれば、店舗内にて食品の載置および移動を行う際に使用される食品載置用トレイを利用して、食品を載置する際や飲食等の際に食品の持上げ等の都度に各人の注視対象となる部位に広告表示を行うので、各店舗に対応する一群の需要者層を対象として、効率よく宣伝広告を行うことができる。
【００１８】
例えば、ハンバーガー等を提供するファーストフードレストランを利用する若者や子供、家族等、ファミリーレストランを利用する家族、友人等、社員食堂を利用する社会人、学生食堂を利用する学生等、コーヒーショップ等を利用する客層、あるいはセルフサービス式パンショップ等を利用する女性等のように、それぞれの客層の特徴に応じた一定または一定範囲の年齢層、あるいは社会環境、嗜好、趣味間等に共通性のある一定範囲の人々のグループを対象として、効率よく広告を行うことができる。
【００１９】
また、本発明においては、広告トレイをトレイ管理部門から店舗に無償で供給されることが通常的な形態となる。したがって、店舗サイドにおいて使用するトレイの購入が不要となるため、設備コストの低減が図れるようになる。
【００２０】
さらに、広告トレイは一の店舗において一定期間使用された後に回収され、この回収された広告トレイは、同一の広告表示シートが貼着されたまま、もしくは同種の広告表示シートに換えた状態として、または別の広告表示シートが貼着されたものとして、次の一定期間に亘って同一店舗または異なる店舗で再使用することができる。したがって、同一のトレイ本体に同一、同種または異種の広告表示シートが貼着されることにより、別の広告トレイとして再利用できるので、トレイ本体がリサイクルされて長期間の利用が可能となり、廃棄物等の増加に対する環境保護の面でも望ましい効果を得ることができる。
【発明を実施するための最良の形態】
【００２１】
以下、本発明の実施形態について、図面を参照して説明する。
【００２２】
図１は、食品載置用トレイを用いた広告システムを示すシステム構成図である。図２は、このシステムに適用する広告媒体としての広告トレイを示す斜視図であり、図３は同トレイを示す断面図である。
【００２３】
まず、図２および図３によって広告トレイの構成を説明する。これらの図に示すように、広告トレイ１は、食品載置用トレイとしてのトレイ本体２と、広告表示シート３とによって構成される。トレイ本体２は、樹脂または軽量金属等により構成されており、一定の面積を有する食品搭載用の平坦部２ａと、この平坦部２ａの周囲から起立する背の低い周枠部２ｂとからなる。このトレイ本体２の平坦部２ａの表面（上面）に広告表示シート３が一体的に貼着されている。
【００２４】
広告表示シート３の表面（上面）には広告表示３ａが施され、また広告表示シート３の裏面（下面）は接着剤４によってトレイ本体２に接着される。この接着剤４は、耐水性かつ洗剤を用いた洗浄に耐え得る耐洗浄性を有するとともに、洗浄機等による自動洗浄等に対する負荷や衝撃、摩擦等にも耐え得るものとされる。さらに、この接着剤４は、人体に無害な材質によって構成されることが望ましい。
【００２５】
なお、図２では広告トレイ１のトレイ本体２を四角形とした場合を示しているが、これに限らず、例えば三角形または５角形以上の各種の多角形であってもよく、さらに一辺あるいは複数の辺が円弧状または外側方に向って凹凸状をなす曲線状であってもよい。また、円形や、その他各種形状を象ったもの等、任意形状にすることができる。
【００２６】
また、図２の例では広告表示シート３を比較的大型の四角形とし、トレイ本体２の平坦部２ａの中央に配置しているが、これに限らず広告表示シート３は任意形状および任意の大きさとすることができる。例えばトレイ本体２の平坦部２ａの一辺側に偏った位置、あるいは隅角位置等、適宜の配置を選択することができる。また、場合によっては、周枠部２ｂの内面または外面等に貼着することも可能である。
【００２７】
さらにまた、図２の例では広告表示シート３をトレイ本体２における平坦部２ａの上面に貼着しているが、例えばトレイ本体２の平坦部２ａを透明な材料によって構成し、この透明な平坦部２ａにおける下面に広告表示シート３を貼着し、トレイ本体２の上方から平坦部２ａを透過して広告表示３ａが見えるような構成としてもよい。このように、トレイ本体２の下面に広告表示シート３を貼着する構成とした場合には、食品載置用の平坦部２ａの上面に接着剤がないことから、さらに衛生的に優れたものとなる。
【００２８】
次に、図１、図４〜図７によって本実施形態による広告システムを説明する。図１に示すように、本実施形態の広告システムは大別して、契約締結等を行うための通信システムと、広告トレイの製造、配送および回収等を行うための物流システムとにより構成される。
【００２９】
通信システムは、広告依頼者Ａ，Ｂ，Ｃ…の各端末１１ａ，１１ｂ，１１ｃ…および広告を展開する店舗である食堂Ｘ，Ｙ，Ｚ…の各端末１２ａ，１２ｂ，１２ｃ…と、トレイ管理部門としてのトレイ管理センター１３のメインコンピュータ１４とを、通信ネットワーク１５を介して接続することにより構成される。
【００３０】
トレイ管理センター１３は、サーバを通じて通信ネットワーク１５上に広告依頼者Ａ，Ｂ，Ｃ…と前記広告トレイの納入を希望する食堂Ｘ，Ｙ，Ｚ…とがアクセスできる仲介用サイトを保有する。そして、トレイ管理センター１３には、アクセスした広告依頼者Ａ，Ｂ，Ｃ…および食堂Ｘ，Ｙ，Ｚ…の情報を保存する依頼者データベース１６および店舗データベースとしての食堂データベース１７が備えられる。
【００３１】
図４は、依頼者データベース１６に蓄積される依頼者データの構造を示している。この図４に示すように、依頼者データとしては、（１）広告依頼をする企業の名称等、（２）依頼する広告の種類、商品宣伝、情報開示、求人、その他全般の情報、（３）広告の提供を希望する場所、（４）広告期間、（５）広告のターゲットとする客層、その目的、（６）広告数量、内容等、その他希望事項等の項目からなり、これらが項目毎に区分されて記憶される。これらの項目のうち、必要事項が通信ネットワーク上に掲載される。
【００３２】
図５は、食堂データベース１７に蓄積される食堂側データの構造を示している。この図５に示すように、食堂側データとしては、（１）企業名、店舗場所、住所等、（２）業種、客層、客席数、客数等、（３）保有したいトレイの数量、（４）使用したいトレイの寸法、（５）１日のトレイ回転数量、（６）広告の許可できる範囲、その他注意事項等の項目からなり、これらが項目毎に区分されて記憶される。これらの項目のうち、必要事項が通信ネットワーク上に掲載される。
【００３３】
また、トレイ管理センター１３のメインコンピュータ１４は、広告依頼者Ａ，Ｂ，Ｃ…および食堂Ｘ，Ｙ，Ｚ…の中から相互に適合するものを仲介する仲介手段としての機能と、広告トレイの製造、配送、期限管理および回収等の管理機能とを有する。このメインコンピュータ１４の機能に対応して、トレイ管理センター１３には、基本データベース１８および期限管理用データベース１９等が備えられる。基本データベース１８には、広告契約用データ、広告トレイ製造用データ、配送管理用データ等が格納されている。
【００３４】
広告トレイの製造、配送および回収等を行うための物流システムは、管理部門と食堂Ｘ，Ｙ，Ｚ…との間における広告トレイ１の移動システムとして構成される。すなわち、図１に示すように、管理部門には、トレイ管理センター１３とともに、広告依頼者Ａ，Ｂ，Ｃ…からの依頼に基づく内容の広告トレイ１を製造する広告トレイ製造所２０と、この広告トレイ製造所２０により製造された広告トレイ１を、使用希望のある食堂Ｘ，Ｙ，Ｚ…に配送および回収するための配送センター２１とが備えられる。
【００３５】
そして、広告トレイ製造所２０は、トレイ管理センター１３からの指示により、広告依頼者Ａ，Ｂ，Ｃ…との契約に基づく内容の広告トレイ１を、契約に基づく個数製造する。
【００３６】
また、配送センター２１は、トレイ管理センター１３からの指示により、食堂Ｘ，Ｙ，Ｚ…との契約に基づいて広告トレイ１を配送し、契約期間の満了後に回収する。
【００３７】
図６は、上記システムに基づいて、広告の契約から広告トレイ１の移動に関する具体的な実施を行う際の手順の例を示すフローチャートである。図７は、複数の具体的運用例として、実施例１〜実施例４を示す表である。
【００３８】
図６に示すように、本実施形態では、基本的に、通信ネットワーク１５を介して広告依頼者Ａ，Ｂ，Ｃ…、食堂Ｘ，Ｙ，Ｚ…およびトレイ管理センター１３との間で契約を行うトレイ広告契約ステップ（Ｓ１０１〜Ｓ１０８）、トレイ管理センター１３からの指令に基づいて広告内容に合致した広告トレイを製造するステップ（Ｓ１０９）、製造した広告トレイ１を配送センター２１から食堂Ｘ，Ｙ，Ｚ…に搬送するトレイ配送ステップ（Ｓ１１０）、配送センター２１からの広告トレイの配送を受けた食堂Ｘ，Ｙ，Ｚ…が広告トレイを使用して食品の提供を行うトレイ広告ステップ（Ｓ１１１）、所定期間満了後に食堂Ｘ，Ｙ，Ｚ…から配送センター２１に広告トレイを回収する回収ステップ（Ｓ１１２，Ｓ１１３）、および移送、再送等を行うステップ（Ｓ１１４）とを備える。
【００３９】
以下、詳細に説明する。図６に示すように、トレイ管理センター１３では、申し込み用サイトにおいて、広告依頼側および食堂Ｘ，Ｙ，Ｚ…側からの申し込みを待つ。例えば広告依頼者Ａからトレイ管理センター１３に広告依頼の申し込みが入力されると（Ｓ１０１）、トレイ管理センター１３では図４に示した全ての項目について調査を行う（Ｓ１０２）。全ての項目について問題がないことの確認がなされると、通信ネットワーク１５上に広告依頼内容が掲載される（Ｓ１０３）。
【００４０】
一方、例えば食堂Ｘからトレイ管理センター１３にトレイ受け入れ希望が入力されると（Ｓ１０４）、トレイ管理センター１３では図５に示した全ての項目について調査を行う（Ｓ１０５）。全ての項目について問題がないことの確認がなされると、通信ネットワーク上に広告受け入れ内容が掲載される（Ｓ１０６）。このようにして、複数の広告依頼者Ａ，Ｂ，Ｃ…からの広告依頼内容と、複数の食堂Ｘ，Ｙ，Ｚ…からのトレイ受け入れ内容とが掲載される。
【００４１】
そして、例えば、広告依頼者Ａの依頼内容と食堂Ｘの受け入れ内容とが一致した場合、トレイ管理センター１３による仲介のもとに、広告依頼者Ａと食堂Ｘとの間において、広告内容、広告トレイのサイズ、デザイン、使用場所、使用開始時期、使用期間、数量等についての検討がなされる（Ｓ１０７）。
【００４２】
この検討の結果、契約成立に至らない場合（Ｓ１０８：ＮＯ）には、他の候補に対して上記同様の検討がなされる（Ｓ１０７）。契約成立に至った場合（Ｓ１０８：ＹＥＳ）には、広告トレイ製造所２０において広告依頼者Ａからの依頼に基づく広告トレイ１の製造が行われ（Ｓ１０９）、食堂Ｘに広告トレイ１が配送される（Ｓ１１０）。食堂Ｘでは、広告トレイ１の使用が開始され、その使用が所定の契約期間満了まで継続される（Ｓ１１１）。なお、契約締結後においては広告依頼者Ａは、広告主Ａとなり、広告トレイ１のコストを負担することになる。
【００４３】
そして、使用される広告トレイ１は、それぞれ食堂Ｘに適合する広告内容を備えたものとして構成される。例えば食堂Ｘが学生食堂である場合には、男女学生等を対象として宣伝広告機能を発揮することができる。また、食堂Ｘが社員食堂である場合には社会人に対して、またコーヒーショップである場合には嗜好の合う社会人や学生に対して、さらにハンバーガーレストランの場合には子供やその家族、また地域により社会人等に対してというように、それぞれ年齢や嗜好等に共通性を有する一群の客層に適合する宣伝広告機能を発揮することができる。なお、通常の場合、広告トレイ１は食堂Ｘに対して無償で提供され、購入は不要である。
【００４４】
契約期間が満了した場合には（Ｓ１１２：ＹＥＳ）、配送センター２１により広告トレイ１の回収が行われる（Ｓ１１３）。なお、当該回収された広告トレイ１について、他の食堂Ｙ、Ｚ…等に移送、再送等の契約がある場合には（Ｓ１１４：ＹＥＳ）、当該広告トレイ１がリサイクル利用される。この場合、同一トレイ１が複数箇所で利用されるため、資源の有効利用が図られ、廃棄等までのサイクルが長期化され、環境対策としても優れたものとなる。
【００４５】
図７では、運用の具体例として実施例１から実施例４まで数種の運用例を示している。
【実施例１】
【００４６】
この実施例１は、単一期間契約についてのものである。この場合には、例えば広告依頼者Ａ，Ｂ，Ｃ等が依頼した広告内容の広告トレイ１を食堂Ｘ，Ｙ，Ｚ等にそれぞれ提供する。すなわち、広告依頼者Ａからの依頼内容に基づいて食堂Ｘ，Ｙ，Ｚ等に広告トレイ１を提供し、契約期間終了後に広告トレイ１を回収する。
【実施例２】
【００４７】
この実施例２は、複数期間契約についてのものである。この場合には、例えば広告依頼者Ａからの依頼により同一または同種の広告期間を同一食堂Ｘに対して２回以上に分けて供給する等の内容の契約を締結しておき、広告依頼者Ａからの依頼内容に基づいて第１回目の広告期間の初期に食堂Ｘに広告トレイ１を提供し、この第１回目の期間が終了した時に一旦広告トレイ１を回収して倉庫に保管し、第２回目の期間の開始時に再度納入を繰返し、同一または同種の広告トレイ１を複数回に亘って使用し、最終的に広告トレイ１を回収する。
【実施例３】
【００４８】
この実施例３は、同一の広告トレイ１の複数店舗における順次使用契約についてのものである。ここでは、広告依頼者Ａからの依頼に基づいて食堂Ｘへ広告トレイ１を供給し、契約期間終了後に広告トレイ１を回収し、回収した広告トレイ１を他の食堂Ｙへ納入し、契約期間終了で広告トレイ１を回収する。このように、同一トレイを複数の食堂で順次に使用する。
【実施例４】
【００４９】
この実施形態は、応用例として、シート貼着を食堂Ｘ，Ｙ，Ｚ…側に依頼する運用および契約についてのものである。ここでは、広告トレイ１を備えている食堂Ｘ，Ｙ，Ｚ…等に対し、配送センター２１から広告表示シートのみが配送され、食堂Ｘ，Ｙ，Ｚ…側において広告表示シート３のトレイ本体２への貼着が行われる。このような運用においては、配送に係る物流が少量となる等の利点が得られる。
【００５０】
以上の実施形態によると、年齢層、社会環境、嗜好、趣味間等に或る程度共通性のある一定範囲の人々を対象とする等、特に注目した客層に的を絞って商品、サービス等の提供のための宣伝活動を食堂において展開することが可能となり、効率よく宣伝・広告を行うことができる。
【００５１】
すなわち、学生食堂（男女学生）、社員食堂（社会人）、大衆的珈琲店（社会人）、ハンバーガーレストラン（子供）等、年齢や嗜好に適合するグループの人に対応して宣伝広告効果を発揮することができる。
【００５２】
また、本実施形態によれば、広告トレイ１が無償で食堂Ｘ，Ｙ，Ｚ…に供給され、購入が不要となるため、店舗側における食品載置用トレイに係るコストの低減が図れる。
【００５３】
さらに、本実施形態によれば、リサイクル等によるトレイの効率よい運用により、資源の有効利用ひいては廃棄物量の低減により環境保護の面でも優れた機能を発揮することができる。
【産業上の利用可能性】
【００５４】
本発明は、ファーストフードレストラン、ファミリーレストラン、社員食堂、学生食堂、コーヒーショップ等の既存の各種店舗を有効に活用し、一定または一定範囲の年齢層、あるいは社会環境、嗜好、趣味間等に共通性のある一定範囲の人々のグループを対象とする効率よい広告を行うことができる。また、通信ネットワークを利用した広告依頼者、店舗、トレイ管理部門等の通信技術により、簡易・迅速な処理が行えるようになる。さらに、広告トレイをトレイ管理部門から店舗に無償で供給されることが通常的な形態となるので、店舗サイドにおいて使用するトレイの購入が不要となり、設備コストの低減が図れる。
【００５５】
さらにまた、広告トレイは一の店舗において一定期間使用された後に回収され、この回収された広告トレイは、同一の広告表示シートが貼着されたまま、もしくは同種の広告表示シートに換えた状態として、または別の広告表示シートが貼着されたものとして、次の一定期間に亘って同一店舗または異なる店舗で再使用することができる。したがって、同一のトレイ本体に同一、同種または異種の広告表示シートが貼着されることにより、別の広告トレイとして再利用できるので、トレイ本体がリサイクルされて長期間の利用が可能となり、廃棄物等の増加に対する環境保護の面でも望ましい効果を得ることができる。
【図面の簡単な説明】
【００５６】
【図１】本発明の一実施形態による広告システムを示すシステム構成図。
【図２】本発明の一実施形態による広告媒体を示す斜視図。
【図３】本発明の一実施形態による広告媒体を示す断面図。
【図４】本発明の一実施形態における広告依頼者データベースのデータ例を示す図。
【図５】本発明の一実施形態による食堂側のデータ例を示す図。
【図６】本発明の一実施形態による広告方法の手順を示すフローチャート。
【図７】本発明の一実施形態における実施例１〜実施例４を説明する表。
【符号の説明】
【００５７】
１  広告トレイ
２  トレイ本体
３  広告表示シート
２ａ  平坦部
２ｂ  周枠部
４  接着剤
１１ａ，１１ｂ，１１ｃ…  端末
１２ａ，１２ｂ，１２ｃ…  各端末
１３  トレイ管理センター
１４  メインコンピュータ
１５  通信ネットワーク
１６  依頼者データベース
１７  食堂（店舗）データベース
Ａ，Ｂ，Ｃ…  広告依頼者
Ｘ，Ｙ，Ｚ…  食堂（店舗）
【図１】
2005055737.tif 000003
【図２】
2005055737.tif 000004
【図３】
2005055737.tif 000005
【図４】
2005055737.tif 000006
【図５】
2005055737.tif 000007
【図６】
2005055737.tif 000008
【図７】
2005055737.tif 000009